(57)【要約】【課題】  遊技の公平性及び遊技性を担保しつつ、遊技性を向上させることができる遊技機を提供する。【解決手段】  始動指示に応じて役の内部抽選を行うと共にリール３５０の回転を開始して変動表示を開始し、停止ボタン３５６を介した停止指示に基づいて各リール３５０の変動表示を停止させ、表示窓３１４の表示状態が前記抽選により当選した役に対応する表示態様となった場合に当該当選した役を入賞させるに際し、始動指示の入力に基づいて計時を開始し、計時時間が予め設定された時間を超えた場合に、内部抽選の結果、予め定められた役に当選しているか否かを判定し、当該判定結果に応じて、変動停止後の表示窓３１４が何れの役にも入賞しない表示状態となり、かつ判定結果を報知する表示状態となるようにリール３５０Ａ、３５０Ｂ、３５０Ｃの変動表示を停止ボタン３５６Ａ、３５６Ｂ、３５６Ｃを介した変動停止指示によらず強制的に停止させる。【選択図】        図１
2007014703.tif 000002
【特許請求の範囲】
【請求項１】
複数個の図柄を配列した複数の図柄列を変動表示可能な表示部を有し、変動開始指示に応じて役の抽選を行うと共に前記表示部における図柄列の変動表示を開始し、各図柄列に対してそれぞれ入力される変動停止指示に基づいて前記各図柄列の変動表示を前記変動停止指示から所定時間以内に停止させ、前記複数の図柄列の変動停止後に前記表示部が前記抽選により当選した役に応じた表示状態となった場合に当該役を入賞とする遊技機であって、
前記変動開始指示の入力に基づいて計時を開始する計時手段と、
前記計時手段による計時時間が予め設定された時間を超えた場合に、前記変動停止後の前記表示部が何れの役にも入賞しない表示状態となり、かつ前記抽選により特定の役に当選している場合にその旨を報知する表示状態となるように前記図柄列の変動表示を前記変動停止指示によらず強制的に停止指示して停止させる強制停止手段と、
を備えた遊技機。
【請求項２】
前記強制停止手段は、前記各図柄列のうちの少なくとも何れか１つの変動表示を停止させる場合において、当該図柄列の前記停止指示から停止までの所要時間が前記所定時間を超える場合がある
ことを特徴とする請求項１記載の遊技機。
【請求項３】
前記計時手段による計時時間が予め設定された時間を超えた場合に、全ての図柄列に対する前記変動停止指示の入力を無効化する入力無効化手段
をさらに備えたことを特徴とする請求項１又は請求項２記載の遊技機。
【請求項４】
前記変動開始指示が入力されてから前記計時手段による計時時間が予め設定された時間を超えるまでの間に変動停止指示の入力があった場合、前記強制停止手段による前記変動表示の強制停止を禁止する禁止手段
をさらに備えたことを特徴とする請求項１乃至請求項３の何れか１項記載の遊技機。
【発明の詳細な説明】
【技術分野】
【０００１】
本発明は、メダル、コイン、遊技球等を遊技媒体として使用するパチスロ機、パロット機を始めとするスロットマシン等の遊技機に関するものである。
【背景技術】
【０００２】
従来より、遊技機、特にパチスロ機では、所定数の遊技媒体を投入し、始動レバーを操作することで、当該遊技に対する役の当落抽選が実行されると共に、周面に複数の図柄が表示された複数列（一般的には３列）の図柄変動リール（表示装置）が回転することにより、所謂、図柄の変動表示を開始するようになっている。
【０００３】
上述した始動レバーの操作によって回転を開始した図柄変動リールは、それぞれに対応して設けられた停止ボタンを遊技者が操作することで、調整図柄数の範囲内でほぼ遊技者の意図する位置に停止される。
【０００４】
ここで、前記始動レバーの操作時に内部抽選が実行されて役の当たり／外れが決められており、遊技者が停止ボタンにより各図柄変動リールの停止操作を行い、当該内部抽選に当選している場合に、当該当選に対応する図柄が揃った時点で入賞となり、権利行使がなされる。
【０００５】
また、内部抽選の結果に応じて、図柄変動リールは、遊技者が停止操作をした時点の図柄位置から４図柄以内の調整図柄数の範囲内である１９０ｍｓｅｃ以内でリールの回転を停止させて当選役図柄の引込み及び非当選役図柄の蹴飛ばし制御を行い、内部抽選の結果、役が当選した場合には、上記調整図柄数の範囲内で当選役図柄を引込んで当選役図柄の組み合わせを表示しやすいように、また、内部抽選の結果が外れの場合には、図柄変動リールは当選役に対応する図柄の組み合わせを表示しないように所謂すべり制御が実行されて停止される。
【０００６】
なお、仮に内部抽選の結果が当たりであっても、図柄変動リールが当選役に対応する図柄で停止表示されなかった場合は、入賞とならず、上記権利行使はなされない。
【０００７】
ところで、遊技機においては、停止ボタンの操作が行われないまま図柄変動リールが長時間回転を続けることが想定される。そこで、図柄変動リールを駆動するためのモータの消耗、寿命短縮及び稼働率の低下を防止すべく、遊技者が所定時間（一般的には、３０秒間）停止ボタンの操作を行わない場合、自動的に停止ボタンが押下されたものとみなして、図柄変動リールを自動停止することが提案されている（例えば、特許文献１参照。）。
【０００８】
ここで、遊技の公平性を担保するためには、図柄抽選の結果に拘らず入賞図柄の組み合わせが有効ライン上に揃わないように制御することが望ましい。また、目押し等の遊技性を考慮した場合にも、遊技者の停止操作の重要性がなくなり、遊技性が損なわれてしまう恐れがある。
【０００９】
このため、自動停止においては、当選役に対応する図柄が引込み可能であっても入賞を回避するように停止制御を実行することが検討されている。
【特許文献１】特開２００３−７９８０９公報
【発明の開示】
【発明が解決しようとする課題】
【００１０】
しかしながら、単に入賞を回避するのみでは、遊技者は、内部抽選で当選していても入賞が回避されることを把握できない、という問題点があった。
【００１１】
本発明は上記問題点を解決するためになされたものであり、遊技の公平性及び遊技性を担保しつつ、遊技性を向上させることができる遊技機を提供することが目的である。
【課題を解決するための手段】
【００１２】
上記課題を解決するために、請求項１の発明は、複数個の図柄を配列した複数の図柄列を変動表示可能な表示部を有し、変動開始指示に応じて役の抽選を行うと共に前記表示部における図柄列の変動表示を開始し、各図柄列に対してそれぞれ入力される変動停止指示に基づいて前記各図柄列の変動表示を前記変動停止指示から所定時間以内に停止させ、前記複数の図柄列の変動停止後に前記表示部が前記抽選により当選した役に応じた表示状態となった場合に当該役を入賞とする遊技機であって、前記変動開始指示の入力に基づいて計時を開始する計時手段と、前記計時手段による計時時間が予め設定された時間を超えた場合に、前記変動停止後の前記表示部が何れの役にも入賞しない表示状態となり、かつ前記抽選により特定の役に当選している場合にその旨を報知する表示状態となるように前記図柄列の変動表示を前記変動停止指示によらず強制的に停止指示して停止させる強制停止手段と、を備えている。
【００１３】
請求項１記載の発明によれば、変動開始指示に応じて役の抽選が実行されると共に複数の図柄列の変動表示が開始される。その後に、各図柄列の変動表示が各図柄列に対してそれぞれ入力される変動停止指示に基づいて当該変動停止指示から所定時間以内に停止され、前記複数の図柄列の変動停止後、表示部が前記抽選により当選した役に応じた表示状態となった場合に入賞となる。
【００１４】
ここで、請求項１では、変動開始指示の入力に基づいて計時手段により計時が開始され、この計時時間が予め設定された時間を超えた場合に、前記変動停止後の前記表示部が何れの役にも入賞しない表示状態となり、かつ前記抽選により特定の役に当選している場合にその旨を報知する表示状態となるように強制停止手段により前記図柄列の変動表示が前記変動停止指示によらず強制的に停止指示して停止される。これにより、入賞するためには変動停止指示の入力が必須となり、遊技の公平性及び遊技性を担保することができるだけでなく、予め定められた役に当選しているか否かを報知することができるので、遊技性を向上させることができる。
【００１５】
請求項２の発明は、前記強制停止手段は、前記各図柄列のうちの少なくとも何れか１つの変動表示を停止させる場合において、当該図柄列の前記停止指示から停止までの所要時間が前記所定時間を超える場合があることを特徴としている。
【００１６】
請求項２記載の発明では、強制停止の実行時には、強制停止される図柄列の中には当該図柄列の停止指示から停止までの所用時間が前記所定時間を超える場合があるので、強制停止の制御が容易になる。
【００１７】
請求項３の発明は、前記計時手段による計時時間が予め設定された時間を超えた場合に、全ての図柄列に対する前記変動停止指示の入力を無効化する入力無効化手段をさらに備えたことを特徴としている。
【００１８】
請求項３記載の発明によれば、強制停止手段による変動表示の強制停止実行中に別途変動停止指示が入力されることがなくなるので、強制停止制御の複雑化を防止できる。
【００１９】
請求項４の発明は、前記変動開始指示が入力されてから前記計時手段による計時時間が予め設定された時間を超えるまでの間に変動停止指示の入力があった場合、前記強制停止手段による前記変動表示の強制停止を禁止する禁止手段をさらに備えたことを特徴としている。
【００２０】
請求項４記載の発明によれば、遊技者により１回でも変動停止指示が入力された場合は、遊技者に変動停止指示を入力する意思があるので、途中で強制停止することなく、最後まで、遊技者に変動停止指示を入力させるようにしているので、遊技者の遊技介入を重視して遊技性をさらに向上させることができる。
【発明の効果】
【００２１】
以上説明したように本発明によれば、変動表示を強制的に停止させる際に入賞を回避すると共に抽選の結果、予め定められた役に当選しているか否かを報知するので、遊技の公平性及び遊技性を担保しつつ、遊技性を向上させることができる遊技機を提供することができる。
【発明を実施するための最良の形態】
【００２２】
図１に示される如く、パチスロ機３００は、本体３０２と、本体３０２の正面に設けられた開閉カバーとしての操作兼装飾部３０３とを備えて構成されている。
【００２３】
操作兼装飾部３０３は、上から装飾部３０４、操作部３０６及び払出部３１０に分類することができる。
【００２４】
装飾部３０４は、内部でバックライト部（図示省略）が点灯することで、印刷された絵や文字が透過照明される表示パネル部３１２が取り付けられている。また、装飾部３０４の一部として、前記装飾部３０４の上部には、立体的な装飾ランプ３０４Ａも左右方向に設けられている。また、装飾ランプ３０４近傍には、演出用の音声等を再生するためのスピーカ３０５Ｒ、３０５Ｌが設けられている。
【００２５】
装飾部３０４の表示パネル部３１２は、演出用の動画像を表示するための液晶表示装置３１３と、回胴表示図柄を表示するための表示窓３１４とを備えている。表示窓３１４は、前記表示パネル部３１２と一体成型される透明領域で構成されている。
【００２６】
この表示窓３１４の内部には、３個の回胴リール３５０Ａ、３５０Ｂ、３５０Ｃを主要部として構成された図柄変動部３１６が配設されている。
【００２７】
また、表示窓３１４の下部には、このパチスロ機３００の遊技媒体であるメダルの払出枚数を表示する７セグメント表示部３１５Ａ、ジャックゲーム残回数や遊技状態の設定（６段階）表示等を行なう表示部３１５Ｂ、クレジット枚数を表示する７セグメント表示部３１５Ｃが設けられている。
【００２８】
操作部３０６は、その上部が手前に突き出ており、この突き出し部分の上面（テーブル３０６Ａ）の右端部にはメダル投入部３２０が設けられ、また、上面左端部からは順にクレジットの払い戻しをする際に押下操作される精算ボタン１０３、１枚ベット（投入）ボタン３５２Ａ、マックスベット（最大投入）ボタン３５２Ｂが設けられている。また、突き出し部分の前面左端部からは、順に始動レバー３５４、停止ボタン３５６Ａ、３５６Ｂ、３５６Ｃ等が設けられている。
【００２９】
払出部３１０は、メダル排出口３２６と、このメダル排出口３２６から排出されるメダルを受取る受け皿３２８とを備えている。
【００３０】
３個のリール３５０Ａ、３５０Ｂ、３５０Ｃは、回転することで周面に配列された図柄が順次前記表示窓３１４から見えるようになり、回転を停止した場合に表示窓３１４から見える図柄のうち、中行に並んだ図柄の中心を結ぶライン、上行に並んだ図柄の中心を結ぶライン、下行に並んだ図柄の中心を結ぶラインと、２本の対角線上に並んだ図柄の中心をそれぞれ結ぶ２本のラインと、の５本の有効ライン上に停止した図柄の組み合わせが遊技の結果を示す。
【００３１】
なお、５本のラインのうち、どのラインが有効ラインとされるかはメダルの投資数によって決まり、１枚のメダルがベットされた場合は中行に並んだ図柄の中心を結ぶラインが有効ラインとされ、３枚のメダルがベットされた場合は全てのラインが有効ラインとされる。これらの有効ラインは、表示ランプ３１７が点灯することにより遊技者に対して案内表示される。
【００３２】
前記停止ボタン３５６Ａ、３５６Ｂ、３５６Ｃは、図柄変動部３１６下部に設けられており、各リール３５０Ａ、３５０Ｂ、３５０Ｃに対応している。すなわち、対応するそれぞれのリール３５０Ａ、３５０Ｂ、３５０Ｃの回転を遊技者による停止ボタン３５６Ａ、３５６Ｂ、３５６Ｃの操作で停止させることができる。
【００３３】
また、この停止ボタン３５６Ａ、３５６Ｂ、３５６Ｃの左側に設けられた始動レバー３５４を操作（傾倒）することで、各リール３５０Ａ、３５０Ｂ、３５０Ｃが回転を開始するようになっている。なお、この回転は、通常は３個のリール３５０Ａ、３５０Ｂ、３５０Ｃが同時に回転を開始するようになっている。
【００３４】
さらに、この始動レバー３５４による操作タイミングは、後述する内部抽選のタイミングとなっており、当該始動レバー３５４の操作によって、当たり（役当選）／外れが決定するようになっている。
【００３５】
図２には、上記パチスロ機３００の動作を制御するための制御ブロック図が概略的に示されている。
【００３６】
パチスロ機３００の制御系は、主制御部１００を中心に構成されており、この主制御部１００には、メダル投入部３２０から投入されたメダルを識別し、メダルの投入数や種類（不正又は純正）等を出力するメダルセレクタ１０２が接続されると共に、始動レバー３５４、上述したリール３５０Ａ、３５０Ｂ、３５０Ｃのそれぞれに対応する停止ボタン３５６Ａ、３５６Ｂ、３５６Ｃ、ＭＡＸベットボタン３５２Ｂ、１枚ベットボタン３５２Ａ並びに遊技を中止する際に遊技機内部に貯留（クレジット）したメダルを戻すための精算ボタン１０３が、それぞれ操作状態を検出する不図示のセンサ等を介して接続されている。
【００３７】
また、主制御部１００は、ＣＰＵを含んで構成される主制御回路１１０を備えており、主制御回路１１０には、主として遊技の進行状況等を一時的に記憶するＲＡＭ１２８と、各種プログラム等が記憶されたＲＯＭ１３０と、が接続されると共に、主制御回路１１０の動作の基準となるクロックパルスを生成するクロックパルス発生回路１２４が分周器１２６を介して接続されている。
【００３８】
また、主制御回路１１０には、乱数発生器１２０及び乱数ラッチ回路１２２が接続されている。主制御回路１１０は、分周器１２６を介して入力されたクロックパルスに同期して乱数発生器１２０を制御して順次乱数を発生させ、乱数ラッチ回路１２２では、当該乱数発生器１２０により発生された乱数から任意のタイミングにて乱数を取得する。
【００３９】
パチスロ機３００では、始動レバー３５４による操作タイミングで役の当落を決定する内部抽選が主制御部１００により行われるようになっており、主制御回路１１０では、始動レバー３５４が操作されると上記乱数ラッチ回路１２２に対して、乱数の取得、保持及び出力を指示し、これにより乱数ラッチ回路１２２から入力された乱数に応じて抽選結果を導出する。
【００４０】
なお、内部抽選が当たり（役当選）の場合は、その後の停止ボタン３５６Ａ、３５６Ｂ、３５６Ｃによる停止操作により当たり図柄が揃うと入賞となり、遊技者は各図柄に応じた数のメダルを獲得できるほか、揃った図柄に応じて遊技者に有利な遊技状態となる。
【００４１】
ここで、役には小役と大役とがあり、それぞれ遊技者に対する有利さの度合いが異なる。小役に入賞した場合には、役に応じて予め定められた枚数のメダルが配当される一方、大役に入賞した場合には役に応じた大役遊技が実行される。この大役遊技では、複数回の小役ゲームを実行可能に構成されている。このため、当然、小役よりも大役の方が、遊技者にとってより有利な遊技状態となる。
【００４２】
また、主制御部１００には、モータ駆動回路１３２が接続されており、当該モータ駆動回路１３２には、左（Ｌ）、中（Ｃ）、右（Ｒ）用の各リールモータ１０６Ａ、１０６Ｂ、１０６Ｃを介してそれぞれ左、中、右の各リール３５０Ａ、３５０Ｂ、３５０Ｃが接続されている。
【００４３】
さらに、主制御部１００には、３個のリール３５０Ａ、３５０Ｂ、３５０Ｃの回転位置を検出するためのリール位置検出回路１３４が接続されており、主制御部１００では、各リール３５０Ａ、３５０Ｂ、３５０Ｃの位置を常時把握することができるようになっている。
【００４４】
また、パチスロ機３００では、上記始動レバー３５４による操作タイミングで図柄変動部３１６による図柄変動を開始するようになっており、主制御部１００は、始動レバー３５４が操作されると、モータ駆動回路１３２を介したリールモータ１０６Ａ、１０６Ｂ、１０６Ｃの駆動をそれぞれ開始し、３個のリール３５０Ａ、３５０Ｂ、３５０Ｃをそれぞれ回転させると共に、その後の停止ボタン３５６Ａ、３５６Ｂ、３５６Ｃによる操作に基づいて、３個のリール３５０Ａ、３５０Ｂ、３５０Ｃの回転を停止させる。
【００４５】
ここで、主制御部１００では、上記停止ボタン３５６Ａ、３５６Ｂ、３５６Ｃによる停止操作に基づいてリール３５０Ａ、３５０Ｂ、３５０Ｃの回転を停止させる際、内部抽選の結果に応じて、所定図柄数のすべり制御を実行するようになっている。
【００４６】
すなわち、内部抽選が外れのとき、当りの場合のみ停止する図柄が有効ライン上に停止する停止タイミングで停止ボタン３５６Ａ、３５６Ｂ、３５６Ｃが操作された場合、意図的にこの図柄での停止を回避するため、停止位置をずらし（蹴飛ばし）、外れ図柄配列で停止するように制御する。
【００４７】
また、内部抽選が当りのとき、遊技者が操作した停止タイミングでは当り図柄が停止しない場合でも、所定図柄数内であれば、意図的にこの当たり図柄が有効ライン上に揃って停止するように停止位置をずらす（引き込み）制御を行う。
【００４８】
上記蹴飛ばし、引き込みを行うことで、内部抽選の結果と遊技の結果との統一性を持たせることができると共に、若干停止操作タイミングがずれても当り図柄を揃えることが可能となることで、遊技者の取りこぼしを可能な範囲で防いでいる。
【００４９】
また、主制御部１００には、パチスロ機３００内部に設けられたホッパー１３８を作動させるためのホッパー駆動回路１３６が接続されている。ホッパー１３８にはメダルが貯留されており、主制御部１００では、リール位置検出回路１３４からの出力により特定された停止図柄に応じて、ホッパー駆動回路１３６を介したホッパー１３８からのメダルの払い出しが実行される。
【００５０】
さらに、ホッパー１３８近傍には、ホッパー１３８から払出されるメダルを検出するメダル検出センサ１４０が配設されており、払出完了信号回路１４２を介して主制御部１００に接続されている。払出完了信号回路１４２では、メダル検出センサ１４０からの検出信号に基づいて払出が完了したか否かが判定され、払出が完了したと判定された時点で払出完了信号が生成されて主制御部１００に入力される。
【００５１】
主制御部１００では、払出完了信号回路１４２から払出完了信号が入力されるとホッパー駆動回路１３６を介してホッパー１３８によるメダルの払出しを終了する。
【００５２】
さらに、主制御部１００には、表示ランプ駆動回路１４４が接続されており、当該表示ランプ駆動回路１４４を介して前述した７セグメント表示部３１５Ａ、表示部３１５Ｂ、７セグメント表示部３１５Ｃ及びメダルの投入枚数であるベット数表示ランプ１４６の点灯及び消灯を制御する。
【００５３】
一方、主制御部１００には、副制御部１５０が接続されており、主制御部１００は副制御部１５０に対して、随時制御状態を示すコマンド信号を入力する。なお、本実施の形態では、主制御部１００と副制御部１５０との間の通信としては、主制御部１００から副制御部１５０に対する一方的な通信だけが実行され、副制御部１５０から主制御部１００に対する通信は一切行うことができない構成となっている。
【００５４】
副制御部１５０には、液晶制御回路１５２が接続されており、液晶制御回路１５２では、演出のために設けられた液晶表示装置（ＬＣＤ）３１３の表示状態を制御する。
【００５５】
また、副制御部１５０には、ランプ駆動回路１５６が接続されており、当該ランプ駆動回路１５６を介して装飾ランプ３０４Ａに内蔵されているランプ１１２や、停止ボタン３５６Ａ、３５６Ｂ、３５６Ｃの内部に設けられ、停止ボタン３５６の操作可否状態や実行する演出等に応じて発光するバックライト１５８等の発光を制御する。なお、バックライト１５８は、赤色に発光する赤色ＬＥＤと緑色に発光する緑色ＬＥＤを含んで構成されており、赤色、緑色の一対のＬＥＤが各停止ボタン３５６にそれぞれ内蔵されており、光を透過可能に構成された各停止ボタン３５６の操作部材を赤色又は緑色に光らせることができる。
【００５６】
なお、本実施の形態では、停止ボタンの操作が有効である場合は停止ボタン３５６Ａ、３５６Ｂ、３５６Ｃが緑色になるように、無効である場合は停止ボタン３５６Ａ、３５６Ｂ、３５６Ｃが赤色になるように、それぞれ制御される。
【００５７】
さらに、副制御部１５０には、スピーカ駆動回路１５４が接続され、スピーカ３０５Ｌ、３０５Ｒからの音声（効果音）出力を制御する。
【００５８】
副制御部１５０では、主制御部１００のパチスロ機３００の制御状態に応じて、ＬＣＤ３１３、スピーカ３０５Ｌ、３０５Ｒ、バックライト１５８や装飾ランプ３０４Ａに内蔵されたランプ１１２、停止ボタン３５６Ａ、３５６Ｂ、３５６Ｃの表示ランプ１４５及び有効化ライン等の表示ランプ１５７等による報知演出を実行する。
【００５９】
図３は、本実施の形態に係る主制御部１００における通常遊技制御のための制御系を機能的に示したブロック図である。
【００６０】
主制御部１００は、抽選部１８０を含んで構成されており、当該抽選部１８０には、始動レバー３５４が操作されたことを示す操作信号が入力されるようになっている。抽選部１８０は、所定数のメダルの投入（ベット）がなされた後の始動レバー３５４の操作をトリガとして、内部抽選を実行するようになっている。
【００６１】
抽選部１８０では、始動レバー３５４の操作に同期して乱数値を取得し、当該乱数値をテーブル選択部１８２を経由して当選役・図柄決定部１８４へ送出する。
【００６２】
テーブル選択部１８２には、抽選部１８０により取得され得る数値に対応する役・図柄を示す情報がパチスロ機３００の遊技状態毎に記憶されたテーブルが格納されている。なお、パチスロ機３００の遊技状態としては、例えば、通常遊技、大役内部当選中、大役作動中等があげられる。
【００６３】
テーブル選択部１８２では、遊技状態制御部１８６から現在の遊技状態を示す情報を得て、上記遊技状態毎に設けられたテーブルから役・図柄を決定すべきテーブルを選択する。このテーブル選択部１８２で選択されたテーブルに基づいて、当選役・図柄決定部１８４は、当選役（小役（リプレイを含む）、大役（ＲＢ、ＢＢ））及び当選図柄を決定し、決定した当選役及び当選図柄を遊技状態制御部１８６に入力する。
【００６４】
遊技状態制御部１８６には、パチスロ機３００の遊技状態に応じた各種プログラムを示すデータが記憶された遊技プログラムメモリ１８８が接続されている。遊技状態制御部１８６は、主として遊技実行制御部１８６Ａにより遊技プログラムメモリ１８８から遊技状態に応じた遊技プログラムデータを適宜読み出して実行することにより、遊技状態を制御するようになっている。
【００６５】
なお、遊技プログラムメモリ１８８には、通常遊技プログラムを示すデータ及び大役遊技プログラムを示すデータがそれぞれ記憶されており、例えば、通常遊技状態の場合は、遊技プログラムメモリ１８８から通常遊技プログラムデータが読み出され、大役遊技状態の場合はＢＢ、ＲＢの内部当選状態、ＢＢ、ＲＢの各遊技状態に応じて、大役遊技プログラムデータが読み出され、それぞれのプログラムデータに基づいて処理が実行される。
【００６６】
一方、主制御部１００は、リール駆動制御部１９４を含んで構成されており、始動レバー３５４の始動操作に基づき、前回の遊技の開始後、４．１秒を経過した後、モータ駆動部１３２を介してリールモータ１０６Ａ、１０６Ｂ、１０６Ｃを駆動させてリール３５０Ａ、３５０Ｂ、３５０Ｃの回転を開始する。
【００６７】
また、リール駆動制御部１９４は、停止ボタン３５６Ａ、３５６Ｂ、３５６Ｃの操作に基づいてリール３５０Ａ、３５０Ｂ、３５０Ｃの回転を停止させる停止制御を行う。
【００６８】
また、リール３５０Ａ、３５０Ｂ、３５０Ｃには、それぞれ位置検出センサ１９８Ａ、１９８Ｂ、１９８Ｃが取り付けられており、リール位置検出回路１３４を介してリール駆動制御部１９４に接続されている。リール駆動制御部１９４では、リール３５０Ａ、３５０Ｂ、３５０Ｃのそれぞれの回転位置を認識し、前記すべり制御を加味した状態でリール３５０Ａ、３５０Ｂ、３５０Ｃを停止させると共に、停止したリール３５０Ａ、３５０Ｂ、３５０Ｃの図柄配列を遊技状態制御部１８６へ送出する。
【００６９】
この停止したリール３５０Ａ、３５０Ｂ、３５０Ｃの図柄配列により、遊技状態制御部１８６では、何らかの役に入賞したか否かが確認され、小役に入賞した場合には所定の配当が行われると共に、入賞した小役がリプレイであればリプレイゲームが実行され、大役であれば遊技実行制御部１８６Ａにより大役遊技プログラムが遊技プログラムメモリ１８８から読み出されて実行される。
【００７０】
なお、大役には、ビッグボーナス（以下、適宜「ＢＢ」という）及びレギュラーボーナス（以下、適宜「ＲＢ」という）が含まれており、小役には、上述したリプレイのほか、チェリー、タケ、ベル等の小役が予め設定されている。
【００７１】
また、上述した大役プログラムとしては、レギュラーボーナスゲームプログラム及びビッグボーナスゲームプログラムがそれぞれ別個に記憶されている。
【００７２】
同図に示されるように、遊技状態制御部１８６には、フラグ管理制御部１９０を介してフラグメモリ１９２が接続されており、上述した内部抽選の当選結果に応じた役の内部当選状態をフラグの状態によって管理している。
【００７３】
各フラグは、内部抽選で当選することにより成立し、一般に、小役のフラグの状態は１回の遊技で消滅（フラグ不成立）するが、大役のフラグの状態はその後各リール３５０Ａ、３５０Ｂ、３５０Ｃが停止して表示窓３１４に大役図柄が所定の配列で表示されることにより大役に入賞するまで維持される。
【００７４】
なお、フラグメモリ１９２は、上述したリール駆動制御部１９４に接続されており、当該フラグメモリ１９２に記憶されたフラグの状態は、リール駆動制御部１９４による停止ボタン３５６Ａ、３５６Ｂ、３５６Ｃの操作に基づく停止制御の際の引き込みまたは蹴飛ばしのすべり制御のパラメータとして適用される。
【００７５】
また、副制御部１５０では、主制御部１００による遊技の進行状況に応じてＬＣＤ３１３、スピーカ３０５Ｌ、３０５Ｒ及びバックライト１５８や装飾ランプ３０４Ａに内蔵されたランプ１１２等による報知演出が実行される。当該演出を行うか否か及び演出の内容については、主制御部１００における内部抽選時に決定されるようになっており、決定された演出に関する情報は演出コマンドとして副制御部１５０に送信されるようになっている。これにより、副制御部１５０では、適宜演出コマンドに基づく演出が実行される。
【００７６】
ここで、本実施の形態では、リール３５０Ａ、３５０Ｂ、３５０Ｃの回転開始から所定期間（本実施の形態では、３２秒）が経過した時点でリール３５０Ａ、３５０Ｂ、３５０Ｃが回転を続けている場合、停止ボタン３５６Ａ、３５６Ｂ、３５６Ｃの操作の有無に拘らず、リール３５０Ａ、３５０Ｂ、３５０Ｃの回転を順次停止させる自動停止制御を実行するようにしている。
【００７７】
図４には、本実施の形態に係るリール停止制御に関する機能ブロック図が示されている。同図に示されるように、リール駆動制御部１９４は、リール３５０Ａ、３５０Ｂ、３５０Ｃの回転開始を制御する回転制御部（図示省略）と、リール３５０Ａ、３５０Ｂ、３５０Ｃの回転停止制御を実行するリール停止制御部１０を含んで構成されている。
【００７８】
なお、リール駆動制御部１９４には、リール駆動制御部１９４全体の動作を制御するＣＰＵ（図示省略）も含まれており、当該ＣＰＵは、上記回転制御部によりリール３５０Ａ、３５０Ｂ、３５０Ｃの回転を開始すると、リール停止制御部１０により停止制御を実行する。
【００７９】
リール停止制御部１０は、制御対象リール特定部１２と、押下位置特定部１４と、停止指示部１６とを含んで構成されており、制御対象リール特定部１２は停止ボタン３５６Ａ、３５６Ｂ、３５６Ｃ及び押下位置特定部１４と、押下位置特定部１４は、リール位置検出回路１３４及び停止指示部１６と、停止指示部１６は、フラグメモリ１９２及びモータ駆動回路１３２と、それぞれ接続されている。
【００８０】
制御対象リール特定部１２には、各停止ボタン３５６Ａ、３５６Ｂ、３５６Ｃの操作状態を示す情報が入力されるようになっている。制御対象リール特定部１２は、操作された停止ボタン３５６に対応するリール３５０Ａ、３５０Ｂ、３５０Ｃを制御対象リールとして特定し、制御対象リールを示す情報を押下位置特定部１４に出力する。なお、当該制御対象リール特定部１２では、リール３５０Ａ、３５０Ｂ、３５０Ｃの回転が開始された場合に制御対象リールの特定を開始し、その後、一旦特定されたリール３５０については、停止ボタン３５０が操作されても制御対象リールとして特定しない。
【００８１】
押下位置特定部１４は、上記制御対象リール特定部１２から入力された制御対象リールを示す情報に応じて、制御対象となるリール３５０の回転位置をリール位置検出回路１３４から取得して押下位置として特定し、制御対象リール及びその押下位置を示す情報を停止指示部１６に出力する。
【００８２】
停止指示部１６には、遊技状態を示す情報及び停止されたリール３５０の停止位置を示す情報も入力されるようになっており、当該停止位置を示す情報を一時的に記憶するための停止位置メモリ１７と、停止位置を決定する停止位置決定部１５と、を含んで構成されている。なお、停止位置メモリ１７に記憶された停止位置は、次回遊技の停止位置により上書きされる。
【００８３】
停止位置決定部１５では、フラグメモリ１９２のフラグの状態、遊技状態、押下位置及び停止位置メモリ１７に記憶されている停止位置に基づいて制御対象リール３５０の停止位置を決定し、モータ駆動回路１３２を制御して決定した停止位置で制御対象リール３５０の回転を停止させる。
【００８４】
また、同図に示されるように、リール停止制御部１０は、自動停止実行制御部１８を含んで構成されている。自動停止実行制御部１８は、実行タイミング判定部２０及びタイマ２２が含まれた構成とされており、実行タイミング判定部２０では、リール３５０Ａ、３５０Ｂ、３５０Ｃの回転が開始されるとタイマ２２のカウント値をリセットして上記所定期間の計時を開始する。
【００８５】
ところで、本実施の形態では、リール３５０Ａ、３５０Ｂ、３５０Ｃの回転開始から所定期間内に停止ボタン３５６Ａ、３５６Ｂ、３５６Ｃのうちどれか１つでも操作された場合には、自動停止制御を行わないようにしている。
【００８６】
このため、実行タイミング判定部２０は制御対象リール特定部１２とも接続されており、制御対象リール特定部１２において制御対象リールの特定が実行される毎に、停止ボタン３５６Ａ、３５６Ｂ、３５６Ｃが操作されたことを示す操作信号が入力されるようになっている。これにより、実行タイミング判定部２０では、タイマ２２によるカウント値が所定値（本実施の形態では、３２秒に相当する値）となった時点で、制御対象リール特定部１２からの停止ボタン３５６の操作信号の入力の有無を判別し、タイマ２２による所定期間のカウントを開始してから操作信号が１回も入力されていない場合には、自動停止の実行タイミングであると判定し、停止指示部１６に対して自動停止実行信号を入力する。
【００８７】
一方、実行タイミング判定部２０では、タイマ２２による所定期間のカウントを開始してから１回でも操作信号が入力された場合には、自動停止を実行しないものと判定される。
【００８８】
ここで、本実施の形態に係る停止指示部１６では、自動停止によりリール３５０Ａ、３５０Ｂ、３５０Ｃを停止させた結果が入賞とならないように停止位置を決定すると共に、内部抽選の結果、ＢＢ、ＲＢ等のボーナス内部中の場合等、予め定められた役に当選している場合には、その旨をリーチ目やチャンス目等の特別の図柄を表示することにより報知するようにしている。
【００８９】
そこで、同図に示されるように、停止指示部１６は、自動停止指示部２４、自動停止位置決定部２６及びチャンス目記憶部３０をさらに含んだ構成とされている。自動停止指示部２４は、上記実行タイミング判定部２０及び自動停止位置決定部２６と接続されている。また、自動停止位置決定部２６は、停止位置メモリ１７、チャンス目記憶部３０及びモータ駆動回路１３２と接続されている。
【００９０】
自動停止指示部２４は、フラグ判定部２８を含んで構成されており、実行タイミング判定部２０から自動停止実行信号が入力された場合に、フラグ判定部２８によりフラグメモリ１９２のフラグの状態に基づいて予め定められた役に当選しているか否かを判定し、当該判定結果及び制御対象リールを示す情報を自動停止位置決定部２６に入力する。
【００９１】
自動停止位置決定部２６では、判定結果及び制御対象リールを示す情報が入力されると、判定結果に基づいて制御対象リールの停止位置を決定する。判定結果が、予め定められた役に当選していることを示すものであった場合は、チャンス目記憶部３０からチャンス目を示す情報を読み出して制御対象リールの停止位置を決定し、モータ駆動回路１３２を制御して決定した停止位置で制御対象リール３５０の回転を停止させる。
【００９２】
一方、自動停止位置決定部２６では、判定結果が予め定められた役に当選していないことを示すものであった場合は、はじめの制御対象リール（第１停止リール）３５０及び２番目の制御対象リール（第２停止リール）については停止ボタン３５６の操作に基づく停止制御と同様、フラグに基づく停止位置を決定する。また、３番目の制御対象リール（第３停止リール）については、停止位置メモリ１７に記憶された第１停止リール及び第２停止リールの停止位置を示す情報に基づいて、何れの役にも入賞しないように停止位置を決定する。
【００９３】
なお、予め定められた役としては、ＢＢ、ＲＢ当のボーナス役のほか、配当の高い小役や、停止ボタン３５６を操作すれば必ず引込み制御により入賞可能な小役等を適宜設定可能であり、この設定によって、遊技性にバリエーションを持たせることが可能である。また、複数の役を設定することも可能である。
【００９４】
また、本実施の形態では、第１停止リールを左リール３５０Ａ、第２停止リールを中リール３５０Ｂ、第３停止リールを右リール３５０Ｃとしており、所謂順押しで自動停止を実行するようにしている。
【００９５】
この自動停止処理（強制停止）における各回動リール３５０Ａ、３５０Ｂ、３５０Ｃの停止指示から停止までの所要時間は、通常の遊技において遊技者が停止操作をした際の図柄位置から４図柄以内の調整図柄範囲内である１９０ミリ秒（ｍｓｅｃ）以内に必ずしもこだわる必要はない。全ての役の入賞を容易に回避できるように制御するために、所望の回動リールを１９０ミリ秒よりも長い時間回転させて、５図柄、６図柄、あるいはそれ以上各リールの図柄を変動させて入賞回避を容易に制御できる位置で停止制御させることができる。特に、最後に停止する左リール３５０Ｃについては、１９０ミリ秒以内に拘らない制御がなされることが望ましい。但し、遊技機の稼働率や制御効率を考慮すると強制停止における各リールの回転はせいぜい１回転以内で停止するように制御されるのが好ましい。
【００９６】
図９及び図１１には、本実施の形態において、自動停止によりチャンス目が表示される場合の表示部３１４の経時変化が一例として示されている。なお、表示部３１４の表示状態は、図９（Ａ）、図９（Ｂ）、図１１（Ａ）、図１１（Ｂ）の順に変化する。
【００９７】
これらの図に示されるように、第１停止では当り図柄のベルを引込み（図９（Ｂ））、第２停止ではトリプルテンパイとなるようにベルを引込んで停止させ（図１１（Ａ））、第３停止では、入賞を回避しつつ遊技者の期待感を高めることができるように、入賞と１コマずらした配列で停止させる（図１１（Ｂ））。
【００９８】
なお、このチャンス目は、ＢＢ、ＲＢ等のボーナス役に内部当選中の場合に発生する図柄配列である所謂リーチ目としてもよいし、一目見ただけで期待感が高まるような意味のある図柄配列とすることが好ましい。
【００９９】
ところで、本実施の形態では、自動停止を実行する際に、全ての停止ボタン３５６Ａ、３５６Ｂ、３５６Ｃによる停止操作を無効にすると共に、停止操作が無効である旨及び自動停止を実行する旨を遊技者に対して報知する。
【０１００】
このため、実行タイミング判定部２０では、自動停止の実行タイミングであると判定した場合、制御対象リール特定部１２及び副制御部１５０に対して自動停止の実行コマンドを入力する。
【０１０１】
制御対象リール特定部１２では、自動停止の実行コマンドが入力されると、次の遊技に移行してリール３５０Ａ、３５０Ｂ、３５０Ｃが回転を開始するまでの間、停止ボタン３５６Ａ、３５６Ｂ、３５６Ｃの操作に基づく制御対象リールの特定の実行を中止して停止ボタン３５６Ａ、３５６Ｂ、３５６Ｃの操作を無効にする。
【０１０２】
また、副制御部１５０では、自動停止の実行コマンドを受信すると、ランプ駆動回路１５６を介して停止ボタン３５６Ａ、３５６Ｂ、３５６Ｃのバックライト１５８を制御して停止ボタン３５６Ａ、３５６Ｂ、３５６Ｃにより停止操作が無効であることを報知すると共に、液晶制御回路１５２を介してＬＣＤ３１３により自動停止が実行される旨を報知する。
【０１０３】
すなわち、停止ボタン３５６の操作が有効である場合は図９（Ａ）に示されるように、自動停止実行時に全ての停止ボタン３５６の操作が無効となった場合は図９（Ｂ）に示されるように、全てのボタンの色が変更される。
【０１０４】
また、図１０には、自動停止を実行する旨を示すメッセージＭ１がＬＣＤ３１３に表示された状態が模式的に示されている。当該メッセージＭ１は、実行中の演出画面に重ねて表示するようにしてもよいし、実行中の演出をキャンセルして表示してもよい。なお、同図に示されるように、停止ボタンの操作が無効である旨を示すメッセージＭ２を表示してもよい。
【０１０５】
さらに、本実施の形態では、実行タイミング判定部２０により、自動停止を実行しないものと判定された場合に、回転継続コマンドが副制御部１５０に入力されるようになっている。
【０１０６】
副制御部１５０では、回転継続コマンドが入力されると、液晶制御回路１５２を介してＬＣＤ３１３により、自動停止を実行しない旨を報知する。
【０１０７】
図１２には、ＬＣＤ３１３により自動停止を実行しない旨が報知された状態が一例として示されている。同図に示されるように、ＬＣＤ３１３には、停止操作を促すメッセージＭ３が表示される。なお、同図に示されるように、回転が３２秒以上続いている旨を示すメッセージＭ４を併せて表示してもよい。
【０１０８】
以下に本実施の形態の作用を説明する。
【０１０９】
図５には、主制御部１００で実行される遊技状態制御の処理の流れがフローチャートとして示されている。以下、同図を参照して本実施の形態に係る遊技状態制御処理について説明する。
【０１１０】
まず、ステップ２００では、ベットボタン３５２を介したベット操作に基づくベット処理の完了待ちを行い、その後に始動レバー３５４の操作を有効にしてステップ２０２に移行して始動レバー３５４の操作待ちを行う。
【０１１１】
次のステップ２０４では、役の内部抽選を行い、その後にステップ２０６に移行して内部抽選により大役に当選したか否かを判定する。当該判定が肯定判定となった場合は当選した大役の種類に応じた大役フラグが成立し、ステップ２０８に移行して遊技状態をボーナス内部中に設定した後にステップ２１０に移行する。
【０１１２】
一方、ステップ２０６で否定判定となった場合は遊技状態の設定を行うことなくステップ２１０に移行する。
【０１１３】
ステップ２１０では、リール３５０Ａ、３５０Ｂ、３５０Ｃの回転を開始し、その後にステップ２１２に移行して、後述するリール停止制御処理を実行することにより、リール３５０Ａ、３５０Ｂ、３５０Ｃの回転を停止させる。
【０１１４】
すなわち、ベットボタンを介したベット操作によりメダルが投資されると始動レバー３５４の操作を有効とし、始動レバー３５４を介した始動操作に基づいて内部抽選を実行すると共にリールの回転を開始する。
【０１１５】
次のステップ２１４では、リール３５０Ａ、３５０Ｂ、３５０Ｃの停止位置に基づいて有効ライン上に停止した図柄の組み合わせ（停止図柄）を特定し、特定した停止図柄を内部抽選により当選した役の入賞図柄と照合し、一致した場合には当該役に入賞したものと判定する。
【０１１６】
次のステップ２１６では、入賞判定の結果が入賞であったか否かを判定し、当該判定が否定判定となった場合は、再びステップ２００に戻る。また、ステップ２１６で肯定判定となった場合はステップ２１８に移行して、ステップ２１４による入賞判定の結果、入賞した役が大役であったか否かを判定する。ステップ２１８で肯定判定となった場合はステップ２２２に移行する。
【０１１７】
ステップ２２２では、入賞した大役の種類を判別する。当該判別の結果、ＲＢ入賞と判別された場合にはステップ２２４に移行し、遊技状態をＲＢ作動中とした後にステップ２２６に移行してＲＢゲームを実行し、その後にステップ２３６に移行する。
【０１１８】
なお、ＲＢゲームは小役への当選確率が高いＲＢ遊技が実行され、何らかの小役に８回入賞した場合、又はＲＢ遊技の実行回数が１２回となった場合に終了する。
【０１１９】
ステップ２２２の大役種類の判別によりＢＢ入賞と判別された場合には、ステップ２３０に移行して遊技状態をＢＢ作動中に設定し、その後にステップ２３２に移行してＢＢゲームを実行して、その後にステップ２３６に移行する。
【０１２０】
なお、ＢＢゲームは、上記ＲＢゲームが連続して実行され、ＢＢゲーム中の総払出枚数が予め設定された上限値に到達した時点で終了する。
【０１２１】
ステップ２３６では、遊技状態を通常遊技に設定し、その後に再びステップ２００に戻る。
【０１２２】
一方、ステップ２１８で否定判定となった場合は、ステップ２２０に移行して、入賞役に応じた配当として予め設定された枚数のメダルの払出を実行し、その後に再びステップ２００に戻る。
【０１２３】
図６には、上記遊技状態制御処理において実行されるリール停止制御（図５のステップ２１２参照）の処理の流れが示されている。以下、同図を参照して本実施の形態に係るリール停止制御処理について説明する。
【０１２４】
まず、ステップ２４０では、タイマ２２をリセットし、次のステップ２４２では、タイマのカウント値が所定期間を示す所定値（ここでは、３２秒に相当する値）よりも小さいか否かを判定する。
【０１２５】
ステップ２４２で肯定判定となった場合はステップ２４４に移行して、停止ボタン３５６Ａ、３５６Ｂ、３５６Ｃの何れかが押下されたか否かを判定し、当該判定が肯定判定となった場合は、今回の遊技においては自動停止処理を実行しないものと判断してステップ２４５に移行し、回転継続コマンドを副制御部に送信した後に、操作された停止ボタン３５６に対応するリール３５０を停止させるべくステップ２４６に移行する。
【０１２６】
一方、当該判定が否定判定となった場合は再びステップ２４２に戻る。
【０１２７】
ステップ２４６では、押下された停止ボタン３５６に対応するリール３５０を制御対象リールとして特定し、その後にステップ２４８に移行して、リール位置検出回路１３４から制御対象リールのリール位置を取得して停止ボタン３５６の押下位置として特定し、その後にステップ２５０に移行して、制御対象リール及び押下位置を示すコマンドを副制御部１５０に送信する。
【０１２８】
次のステップ２５２では、フラグメモリ１９２のフラグの状態や遊技状態等を考慮して押下位置に応じた制御対象リールの停止位置の決定を行い、その後にステップ２５４に移行して制御対象リールの回転を停止させる。
【０１２９】
次のステップ２５６では、制御対象リールの停止位置を示すコマンドを副制御部１５０に送信し、その後にステップ２５８に移行して、全てのリール３５０Ａ、３５０Ｂ、３５０Ｃの回転が停止しているか否かを判定し、当該判定が否定判定となった場合は再びステップ２４２に戻る。
【０１３０】
一方、ステップ２４２で否定判定となった場合はリールの回転が開始されてから３２秒が経過したものと判断してステップ２６２に移行し、自動停止処理を行い、その後に本リール停止制御処理を終了して、遊技状態制御処理（図５のステップ２１４）に戻る。
【０１３１】
ここで、図７には、自動停止処理（図６のステップ２６２参照）の流れが示されている。以下、同図を参照して本実施の形態に係る自動停止処理について説明する。
【０１３２】
まず、ステップ２７０では、全ての停止ボタン３５６Ａ、３５６Ｂ、３５６Ｃの操作を無効化し、その後にステップ２７２に移行して、自動停止を実行する旨（自動停止コマンド）を副制御部１５０に送信する。
【０１３３】
次のステップ２７４では、内部抽選の結果、所定の役に当選しているか否かを判定し、当該判定が肯定判定となった場合はステップ２７６に移行する。ステップ２７６では、表示するチャンス目を決定する。なお、本実施の形態では、当該チャンス目の決定は、予め決定されたチャンス目をチャンス目記憶部３０から読み出すことにより実行される。
【０１３４】
次のステップ２７８では、第１停止リールの回転を決定したチャンス目に応じて停止し、その後にステップ２７９に移行し、第１停止リールの停止位置を示す停止位置コマンドを副制御部１５０に送信する。その後、ステップ２８０に移行して、第２停止リールの回転を決定したチャンス目に応じて停止した後、ステップ２８１に移行して第２停止リールの停止位置を示す停止位置コマンドを副制御部１５０に送信する。更に、その後、ステップ２８２に移行して、第３停止リールの回転を決定したチャンス目に応じて停止し、その後にステップ２８４に移行する。
【０１３５】
一方、ステップ２７４で否定判定となった場合は、ステップ２８６に移行して、第１停止リールの回転を通常の制御によりフラグの状態を考慮して決定された停止位置で停止させ、その後、ステップ２８７に移行して第１停止リールの停止位置を示す停止位置コマンドを副制御部１５０に送信する。その後にステップ２８８に移行して、第２停止リールの回転を第１停止リールと同様、通常の制御により停止させる。その後、ステップ２８９に移行して、第２停止リールの停止位置を示す停止位置コマンドを副制御部１５０に送信し、更にその後、ステップ２９０に移行して、第１停止リール及び第２停止リールの停止位置にもとづいて全ての役を蹴飛ばすように決定された停止位置で第３停止リールを停止させ、その後にステップ２８４に移行する。
【０１３６】
ステップ２８４では、停止位置を示す停止位置コマンドを副制御部１５０に送信し、その後に本自動停止処理を終了する。
【０１３７】
ここで、副制御部１５０では、主制御部１００からのコマンドに応じて適宜演出処理を実行するようになっている。
【０１３８】
図８は、副制御部１５０で実行されるメイン処理の流れを示すフローチャートであり、以下、同図を参照して本実施の形態に係るメイン処理について説明する。
【０１３９】
まず、ステップ５００では、コマンドを受信したか否かを判定し、当該判定が肯定判定となった場合はステップ５０２に移行する。また、ステップ５００で否定判定となった場合はそのまま本メイン処理を終了する。
【０１４０】
ステップ５０２では、コマンドに応じた処理を実行すべく、受信したコマンドの種類を解析する。ステップ５０２のコマンド種類の解析の結果、受信したコマンドが当選役を示すコマンドであった場合にはステップ５０４に移行して、予め実行可能に設定された複数の演出パターンから実行すべき演出パターンを決定するための抽選が実行され、その後にステップ５０６に移行して、抽選により決定された演出パターンに応じて始動レバー、停止ボタンの操作時の演出をセットする。
【０１４１】
すなわち、演出パターンは、各種ボタンの操作タイミングに同期させて実行可能な演出の組み合わせを示す情報であり、当該演出パターンを決定するための抽選は、始動レバー操作のタイミングに同期して実行される内部抽選の結果に応じた抽選確率で実行される。
【０１４２】
次のステップ５０８では、始動レバー操作時の演出を開始し、その後に本メイン処理を終了する。
【０１４３】
また、ステップ５０２の処理において、受信したコマンドが押下リールコマンドであった場合には、ステップ５１０に移行して、停止ボタン操作時の演出を開始し、その後に本メイン処理を終了する。
【０１４４】
また、ステップ５０２の処理において、受信したコマンドが自動停止コマンドであった場合は、主制御部１００の制御により、全ての停止ボタン３５６Ａ、３５６Ｂ、３５６Ｃの表示ランプ１４５が操作無効を示す色（本実施の形態では、赤色）に光るように表示ランプ駆動回路１４４が制御した後に、副制御部１５０の制御はステップ５１６に移行して、自動停止処理が実行される旨を示すメッセージＭ１をＬＣＤ３１３に表示し、その後に本メイン処理を終了する。
【０１４５】
なお、本実施の形態では、表示ランプ１４５を主制御部１００により制御する構成としているが、表示ランプ１４５は、副制御部１５０により制御される構成としてもよい。
【０１４６】
また、ステップ５０２の処理において、受信したコマンドが回転継続コマンドであった場合は、ステップ５１８に移行して、停止操作を促すメッセージＭ３をＬＣＤ３１３に表示した後に、本メイン処理を終了する。
【０１４７】
以上詳細に説明したように、本実施の形態によれば、複数個の図柄を配列したリール３５０Ａ、３５０Ｂ、３５０Ｃの図柄を変動表示可能な表示窓３１４を有し、始動レバー３５４の操作による変動開始指示に応じて複数の役の内部抽選を行うと共に前記表示窓３１４におけるリール３５０Ａ、３５０Ｂ、３５０Ｃの変動表示を開始し、各リール３５０Ａ、３５０Ｂ、３５０Ｃに対してそれぞれ停止ボタン３５６Ａ、３５６Ｂ、３５６Ｃを介して入力される変動停止指示に基づいて各リール３５０Ａ、３５０Ｂ、３５０Ｃの変動表示を停止させ、全てのリール３５０Ａ、３５０Ｂ、３５０Ｃの変動停止後に前記表示窓３１４が内部抽選により当選した役に応じた表示状態となった場合に当該役を入賞とするに際し、変動開始指示の入力に基づいてタイマ２２による計時を開始し、計時時間が予め設定された時間を超えた場合に、内部抽選の結果、予め定められた役に当選しているか否かを判定し、当該判定結果に応じて、変動停止後の表示窓３１４が何れの役にも入賞しない表示状態となり、かつ判定結果を報知する表示状態となるようにリール３５０Ａ、３５０Ｂ、３５０Ｃの変動表示を停止ボタン３５６Ａ、３５６Ｂ、３５６Ｃを介した変動停止指示によらず強制的に停止させるので、入賞するためには変動停止指示の入力が必須となり、遊技の公平性及び遊技性を担保することができるだけでなく、予め定められた役に当選しているか否かを報知することができるので、遊技性を向上させることができる。
【０１４８】
しかも、役の入賞を回避したり、リーチ目やチャンス目等の特定の報知図柄を表示させるために、図柄列の停止指示から停止までに要する時間は１９０ミリ秒以内にこだわることなく、図柄列が１回転するまでの間に停止するように制御させることにより、図柄列の停止制御が従来よりも容易となるほか、各図柄列の図柄配列の自由度も増す。
また、本実施の形態によれば、タイマ２２による計時時間が予め設定された時間を超えた場合に、全ての図柄列に対する前記変動停止指示の入力を無効化しており、変動表示の強制停止実行中に別途変動停止指示が入力されることがなくなるので、強制停止制御の複雑化を防止できる。
【０１４９】
さらに、本実施の形態によれば、始動レバー３５４を介して変動開始指示が入力されてからタイマ２２による計時時間が予め設定された時間を超えるまでの間に停止ボタン３５６Ａ、３５６Ｂ、３５６Ｃを介した変動停止指示の入力があった場合、自動停止による変動表示の強制停止を禁止するので、遊技者の遊技介入を重視して遊技性をさらに向上させることができる。
【０１５０】
なお、本実施の形態では、３つのリール３５０Ａ、３５０Ｂ、３５０Ｃが設けられた遊技機に本発明を適用した形態について説明したが、本発明はこれに限定されるものではなく、２つのリールを備えた遊技機や、４つ以上のリールを備えた遊技機にも本発明を適用し得ることはいうまでもない。
【０１５１】
また、本実施の形態では、始動レバーの操作後、所定期間が経過するまでに何れか１つでも停止ボタンが操作された場合には自動停止を実行しない形態について説明したが、本発明はこれに限定されるものではなく、所定期間が経過するまでに何れか１つでも回転を継続しているリールが存在する場合に自動停止を実行する形態に適用することもできる。
【０１５２】
さらに、本実施の形態では、予め定められた役に内部当選していないと判断された場合に、第１停止時及び第２停止時には通常の停止制御を行うと共に、第３停止時に全ての役を蹴飛ばすような停止制御を実行する（図７ステップ２８６〜２９０参照）ことで入賞を回避する形態について説明したが、本発明はこれに限定されるものではなく、結果として入賞を回避するものであれば、どのような停止制御を行ってもよい。
【０１５３】
また、本実施の形態では、ＬＣＤ３１３を用いて各種報知（図１０及び図１２参照）を実行する形態について説明したが、本発明はＬＣＤをはじめとした表示手段により報知する形態に限定されるものではなく、ランプやＬＥＤのように点灯状態により報知を行う手段や音声の再生により報知を行う手段等により適宜報知を行うようにすることができる。
【０１５４】
なお、本実施の形態におけるパチスロ機の構成（図１乃至図４参照）及び各処理の流れ（図５乃至８参照）は一例であり、適宜変更可能であることは言うまでもない。
【０１５５】
また、本実施の形態では、主制御部１００において回転開始からの時間を計時する形態について説明したが、副制御部１５０において、主制御部１００から入力される当選役コマンドを受信した時点からの経過時間を計時するようにしてもよい。なお、主制御部１００の処理と副制御部１５０の処理との間にコマンド送信や処理速度等に起因する時間差が生じることになるが、コマンド送信には３．６ｍｓｅｃ程度を要することが分かっており、各制御部の計時時間の誤差は４．５ｍｓｅｃ以内であると想定される。この程度の誤差であれば人間が気付くことは困難であり、問題はないと考えられる。
【図面の簡単な説明】
【０１５６】
【図１】実施の形態に係るパチスロ機の斜視図である。
【図２】実施の形態に係るパチスロ機の動作制御ブロック図である。
【図３】主制御部における通常遊技を主体とした制御系を機能的に示したブロック図である。
【図４】実施の形態に係るリール停止制御に関する機能的なブロック図である。
【図５】実施の形態に係る遊技状態制御処理の流れを示すフローチャートである。
【図６】実施の形態に係るリール停止制御処理の流れを示すフローチャートである。
【図７】実施の形態に係る自動停止処理の流れを示すフローチャートである。
【図８】実施の形態に係る副制御部で実行されるメイン処理の流れを示すフローチャートである。
【図９】自動停止処理の実行時における表示窓の表示状態及び停止ボタンの色の変化を示す模式図である。
【図１０】メイン処理によりＬＣＤにメッセージが表示された状態を示す模式図である。
【図１１】自動停止処理の実行時における表示窓の表示状態の変化を示す模式図である。
【図１２】ＬＣＤにより自動停止を実行しない旨が報知された状態の一例を示す模式図である。
【符号の説明】
【０１５７】
２２    タイマ（計時手段）
２８    フラグ判定部（判定手段）
１００    主制御部
１３２    モータ駆動回路
１３４    リール位置検出回路
１５０    副制御部
１８６    遊技状態制御部
１８６Ａ    遊技実行制御部
１８８    遊技プログラムメモリ
１９０    フラグ管理制御部
１９２    フラグメモリ
１９４    リール駆動制御部（強制停止手段、禁止手段）
３００    パチスロ機
３１３    ＬＣＤ
３１４    表示窓（表示部）
３５２Ａ    １枚ベットボタン
３５２Ｂ    マックスベットボタン
３５４    始動レバー
３５０Ａ、３５０Ｂ、３５０Ｃ    リール（図柄列）
３５６Ａ、３５６Ｂ、３５６Ｃ    停止ボタン
【図１】
2007014703.tif 000003
【図２】
2007014703.tif 000004
【図３】
2007014703.tif 000005
【図４】
2007014703.tif 000006
【図５】
2007014703.tif 000007
【図６】
2007014703.tif 000008
【図７】
2007014703.tif 000009
【図８】
2007014703.tif 000010
【図９】
2007014703.tif 000011
【図１０】
2007014703.tif 000012
【図１１】
2007014703.tif 000013
【図１２】
2007014703.tif 000014